(57)【特許請求の範囲】
【請求項１】
誘電体層を挟んで互いに積層方向に離間して配置した複数の信号配線と、
前記積層方向に配置した導体管と、を有し、
前記複数の信号配線は、第１の信号配線と、第２の信号配線と、第３の信号配線とを含み、
前記第１の信号配線は、前記積層方向で前記第２の信号配線及び前記第３の信号配線の間に配置されるように、前記導体管に接続され、
前記第１、２及び３の信号配線は、
前記第２の信号配線又は前記第３の信号配線のうち、前記第２の信号配線を前記第１の信号配線に接続すると選択された場合、前記第１の信号配線および前記第３の信号配線の間の前記導体管の少なくとも一部が除去されるように設けられると共に、
前記第２の信号配線または前記第３の信号配線のうち、前記第３の信号配線を前記第１の信号配線に接続すると選択された場合、前記第１の信号配線および前記第２の信号配線の間の前記導体管の少なくとも一部が除去されるように設けられ、
前記第２の信号配線又は前記第３の信号配線のうちで、選択された信号配線は、前記導体管に電気的に接続され、
前記第２の信号配線又は前記第３の信号配線のうちで、選択されなかった信号配線は、
前記導体管に電気的に接続されないことを特徴とする伝送路構造。
【請求項２】
前記第２の信号配線又は前記第３の信号配線のうちで選択されなかった信号配線は、前記第２の信号配線又は前記第３の信号配線のうちで選択されなかった信号配線と前記導体管との間に絶縁部が設けられることによって、前記導体管と電気的に接続されないことを特徴とする請求項１に記載の伝送路構造。
【請求項３】
前記絶縁部は、誘電体層内に配置した空洞領域を含むことを特徴とする請求項２に記載の伝送路構造。
【請求項４】
請求項１に記載した伝送路構造である基本構造を複数含み、
前記基本構造は前記積層方向に重ねて配設され、
前記重ねて配設した基本構造は、該基本構造が備える導体管を共有し、
複数の前記基本構造は２のＮ乗（Ｎは自然数）個ずつ多段に接続されることを特徴とする伝送路構造。
【請求項５】
前記請求項１に記載した伝送路構造である基本構造を複数含み、
前記基本構造は前記誘電体層の同層内に並設され、
複数の前記基本構造は２のＮ乗（Ｎは自然数）個ずつ多段に接続されることを特徴とする伝送路構造。
【請求項６】
一の前記請求項１に記載した伝送路構造である基本構造と他の前記基本構造との信号配線の中継を行う中継用スルーホールをさらに含み、
複数の前記基本構造は前記誘電体層の同層内に並設され、
前記中継用スルーホールは導体管を含み、複数の前記基本構造と同層内に並設され、
一の前記基本構造と他の前記基本構造とは、前記中継用スルーホールを介して接続されることを特徴とする伝送路構造。
【請求項７】
誘電体層を挟んで互いに積層方向に離間して複数の信号配線を配置し、前記積層方向に導体管を配置し、
前記複数の信号配線に含まれる第１の信号配線と第２の信号配線と第３の信号配線を、
前記第１の信号配線が前記積層方向で、前記第２の信号配線と前記導体管との接続部及び
前記第３の信号配線と前記導体管との接続部の間に設けられるように、前記積層方向に延
在する導体管に電気的に接続し、
前記第１の信号配線および前記第３の信号配線の間の前記導体管の少なくとも一部、若
しくは、前記第１の信号配線および前記第２の信号配線の間の前記導体管の少なくとも一
部を除去することが可能である場合において、
前記第２の信号配線および第３の信号配線のうち選択された信号配線と前記第１の信号
配線の間の導体管を除去せず、
前記第２の信号配線および第３の信号配線のうち選択されなかった信号配線と前記第１
の信号配線の間の導体管の少なくとも一部を除去し、
前記第２の信号配線および前記第３の信号配線のうち選択された信号配線のみを前記第
１の信号配線に電気的に接続する伝送路製造方法。
【請求項８】
前記導体管の除去は、バックドリル加工によって行われることを特徴とする請求項７に記載の伝送路製造方法。
【発明の詳細な説明】
【技術分野】
【０００１】
本発明は、伝送路構造、その製造方法、および伝送路選択方法、特に、スルーホールを含む多層回路基板において高速伝送特性に優れる伝送路を実現する伝送路構造、その製造方法、および伝送路選択方法に関する。
【背景技術】
【０００２】
回路基板に形成された伝送路において、伝送する信号の品質を確保するために最適な伝送路の評価や選択が行われる。そのため、伝送路上に複数の分岐先を備える分岐点を設けて、伝送路の選択を可能とする構造がある。このような構造が伝送路構造であり、その一例として、複数に分岐する伝送路のそれぞれを途中で分断し、各伝送路の分断した部分の端部に一対のパッドをそれぞれ設けた構造が知られている。そして、一対のパッドを備えるこれら分断箇所のいずれかに、チップ抵抗素子などの個別電気素子を実装する。このチップ素子の実装によって伝送路の分断箇所の導通を図り、その結果、複数に分岐する伝送路において、任意の伝送路の選択や回路定数の調整を行うことができる。
【０００３】
このような伝送路回路の例が、例えば、特許文献１に記載されている。所定の長さの分布定数素子およびマイクロストリップ伝送路の所定のインピーダンスを有する部分から構築されている。分布定数素子の寸法、長さおよび位置などを選択し、また、抵抗などの個別素子と接続し、所望の周波数応答が得られるように受動回路を調整できるとしている。具体的には、マイクロストリップ伝送路が枝分かれした先に、個別電気素子が実装できる部分が複数個所ある。すなわち、マイクロストリップ伝送路の端部と、他端が接地面に接続された基板貫通接続ＬおよびＭとの間に、個別電気素子である個別抵抗素子ＤまたはＩを実装するとしている。
【先行技術文献】
【特許文献】
【０００４】
【特許文献１】特表２００５−５２１３２６号公報
【特許文献２】特開２００７−２０１１１２号公報
【発明の概要】
【発明が解決しようとする課題】
【０００５】
しかしながら、関連する伝送路回路の例には次のような問題があった。特許文献１に記載の個別電気素子を用いた部品実装による伝送路構造では、伝送路の選択が可能であるのは、多層基板の最上面または最下面に配置された信号配線だけであった。すなわち、多層基板の内部層においては伝送路の選択や回路定数の調整ができないという問題があった。
【０００６】
また、特許文献１に記載の個別電気素子を用いた部品実装による伝送路構造では、部品が実装されなかった伝送路が、回路全体の周波数応答にも影響を及ぼした。この部品が実装されなかった伝送路、つまり、枝分かれしたマイクロストリップ伝送路において部品が実装されなかった伝送路部分が、高周波帯においては分布定数素子として作用するからである。その結果、部品が実装されなかった伝送路が回路定数を持って残存し、回路基板を伝送する高速伝送信号の周波数応答に作用した。特に、伝送路の選択肢が多肢になるほど、残存する伝送路部分も増え、高速伝送信号の品質への影響が顕著となるという問題があった。
【０００７】
以上のように、関連する多層回路基板の伝送路構造では、回路基板内部の伝送路の選択や回路定数の調整ができなかった。また、選択されなかった伝送路が、伝送路における信号の高速伝送特性に悪影響を及ぼす、という問題があった。
【０００８】
本発明の目的は、上述した課題である、伝送路選択の自由度が制限され、かつ、伝送路特性が劣化する場合がある、という課題を解決する伝送路構造、その製造方法、および伝送路選択方法を提供することにある。
【課題を解決するための手段】
【０００９】
本発明の伝送路構造は、誘電体層を挟んで互いに積層方向に離間して配置した複数の信号配線と積層方向に配置した導体管とを有し、複数の信号配線のうちの第１の信号配線と導体管を介して接続可能な第２の信号配線および第３の信号配線を含み、第１の信号配線は導体管の一端と接続し、選択された第２の信号配線は導体管の他端と接続し、第３の信号配線は絶縁部を挟んで導体管と離間して配置する。
【００１０】
本発明の伝送路選択方法は、複数の信号配線を誘電体層を挟んで互いに積層方向に離間して配置し、積層方向に配置した導体管に複数の信号配線のうちの第１の信号配線と第２の信号配線および第３の信号配線を接続し、導体管の第１の信号配線と第３の信号配線との接続箇所に挟まれた部位を除去することにより第２の信号配線の選択を行う。
【００１１】
本発明の伝送路製造方法は、複数の信号配線を誘電体層を挟んで互いに積層方向に離間して配置し、複数の信号配線のうちの第１の信号配線と第２の信号配線および第３の信号配線を、積層方向に電気的に接続し、第１の信号配線と第３の信号配線間の電気的な接続を除去し、第１の信号配線と第２の信号配線間の電気的な接続を残す。
【発明の効果】
【００１２】
本発明の伝送路構造、その製造方法、および伝送路選択方法によれば、伝送路選択の自由度が増大し、かつ、伝送路特性の劣化を低減することができる。
【図面の簡単な説明】
【００１３】
【図１】本発明の第１の実施形態に係る伝送路構造によって選択される信号配線の構成を示す図であり、（ａ）は上面図、（ｂ）は断面図、（ｃ）は下面図である。
【図２】本発明の第１の実施形態に係る伝送路構造の構成を示す図であり、（ａ）は上面図、（ｂ）は断面図、（ｃ）は下面図である。
【図３】本発明の第１の実施形態に係る伝送路構造の別の構成を示す図であり、（ａ）は上面図、（ｂ）は断面図、（ｃ）は下面図である。
【図４】本発明の第２の実施形態に係る伝送路構造によって選択される多分岐の信号配線の構成を示す図であり、（ａ）は上面図、（ｂ）は断面図、（ｃ）は下面図である。
【図５】本発明の第３の実施形態に係る伝送路構造の対象となる多分岐の信号配線の構成を示す図であり、（ａ）は上面図、（ｂ）は断面図、（ｃ）は下面図である。
【図６】本発明の第４の実施形態に係る伝送路構造の対象となる多分岐の信号配線の構成を示す図であり、（ａ）は上面図、（ｂ）は断面図、（ｃ）は下面図である。
【図７】本発明の第４の実施形態に係る伝送路構造の構成を示す図であり、（ａ）は上面図、（ｂ）は断面図、（ｃ）は下面図である。
【図８】本発明の第４の実施形態に係る伝送路構造の別の構成を示す図であり、（ａ）は上面図、（ｂ）は断面図、（ｃ）は下面図である。
【図９】本発明の第４の実施形態に係る伝送路構造の別の構成を示す図であり、（ａ）は上面図、（ｂ）は断面図、（ｃ）は下面図である。
【図１０】、本発明の第４の実施形態に係る伝送路構造の別の構成を示す図であり、（ａ）は上面図、（ｂ）は断面図、（ｃ）は下面図である。
【図１１】関連する伝送路構造の構成を示す図であり、伝送路を選択した状態における（ａ）は上面図、（ｂ）は断面図である。
【発明を実施するための形態】
【００１４】
（第１の実施形態）
次に、本発明を実施するための形態について図面を参照して説明する。なお、以下の説明では、同じ機能を有するものには同じ符号をつけ、その説明を省略する場合がある。まず、伝送路の選択について説明する。
【００１５】
図１は、本発明の第１の実施形態に係る伝送路構造によって選択される信号配線の構成を示す図であり、（ａ）は上面図、（ｂ）は断面図、（ｃ）は下面図である。多層回路基板１０は、導体層６０−１、導体層６０−２、導体層６０−３、導体層６０−４と誘電体７０とを交互に積層した多層基板である。そして、信号配線３０−１は、多層回路基板１０の内部層にあり、スルーホール２０に接続している。また、スルーホール２０は筒状の形状をした導体（導体管）である。また、信号配線３０−２は、多層回路基板１０の外部層（上面側）にあり、スルーホール２０に接続している。また、信号配線３０−３は、多層回路基板１０の外部層（下面側）にあり、スルーホール２０に接続している。このように、信号配線３０−１は、スルーホール２０を分岐点として、信号配線３０−２と信号配線３０−３の２つの信号配線に分岐している。従って、信号配線３０−１を、信号配線３０−２および信号配線３０−３のいずれかに接続するかを選択することができる。
【００１６】
図２は、本発明の第１の実施形態に係る伝送路構造の構成を示す図であり、（ａ）は上面図、（ｂ）は断面図、（ｃ）は下面図である。例えば、信号配線３０−１の接続先として、信号配線３０−２を選択する場合には、多層回路基板１０の下面方向から、例えばドリルによる切削加工をスルーホール２０に対して施す。ここで、ドリルによる切削加工（バックドリル加工）の技術が、特許文献２などに記載されている。特許文献２は、スルーホールの所定の部位を切削加工し、所望の切削長に到達した場合に信号配線との導電状態が変化するという掘削深さチェック端子を設けることとしている。このチェック端子（切削深さ検出構造）によって、回路基板厚さの製造公差やドリルによる掘削の深さばらつきが生じた場合でも、精度よく掘削加工を施すことが可能であるとしている。以上のような切削深さ検出構造を備えた回路基板が特許文献２に記載されている。
【００１７】
図２はバックドリル加工５０−１を施した後の構成であり、信号配線３０−３とスルーホール２０とが断線状態にあり、信号配線３０−２とスルーホール２０とは接続状態のままにある。すなわち、信号配線３０−１から信号配線３０−２に至る配線経路が選択された状態となっている。ここで留意すべきは、信号配線３０−１と信号配線３０−３とは、スルーホール２０に含まれる導体管を介して電気的に接続されている構成にある。つまり、分岐元の信号配線と分岐先の信号配線とは、同層内で直接接しておらず、異なる層間でスルーホールを介して電気的に接続している。このような構成によって、選択しない分岐先の信号配線３０−３側からスルーホール２０にバックドリル加工をした際、選択する分岐先の信号配線３０−２と分岐元の信号配線３０−１との断線を避けることができる。
【００１８】
なお、断線状態にある信号配線３０−１とスルーホール２０との間には、絶縁物が充填されている。絶縁物とは、例えば、切削された跡を満たす空気層であり、他にも樹脂などを切削された跡に充填してよい。さらには、スルーホールの所定の部位を切削加工する代わりに、スルーホールの所定の部位を酸化して絶縁物化させてもよい。以上のようにして、信号配線３０−１とスルーホール２０との間の断線状態が保たれている。
【００１９】
以上のように、スルーホール２０に対して多層回路基板１０の下面方向から例えばバックドリル加工を施し、信号配線３０−１と信号配線３０−２を使用する伝送路を選択できる。なお、バックドリル加工の深さは、多層回路基板１０の内部に位置する信号配線３０−１の配線層付近までとする。これにより、スルーホールにおいて余剰スタブとして作用する部位は、余剰スタブ４０−１まで最小限に低減できる。このように、伝送路が選択できることに加えて、選択されなかった伝送路の影響を低減する効果を奏する。続いて、信号配線を選択する他の場合について説明する。
【００２０】
図３は、本発明の第１の実施形態に係る伝送路構造の別の構成を示す図であり、（ａ）は上面図、（ｂ）は断面図、（ｃ）は下面図である。他の信号配線として信号配線３０−３を選択する場合には、多層回路基板１０の上面方向からバックドリル加工をスルーホール２０に対して施す。すなわち、バックドリル加工５０−２の領域を形成する。その結果、信号配線３０−２とスルーホール２０とが断線状態にあり、信号配線３０−３とスルーホール２０とは接続状態のままにある。すなわち、信号配線３０−１から信号配線３０−３に至る配線経路が選択されている。ここで留意すべきは、信号配線３０−１と信号配線３０−２とは、スルーホール２０に含まれる導体管を介して電気的に接続されている構成にある。つまり、分岐元の信号配線と分岐先の信号配線とは、同層内で直接接しておらず、異なる層間でスルーホールを介して電気的に接続している。このような構成によって、選択しない分岐先の信号配線３０−２側からスルーホール２０にバックドリル加工をした際、選択する分岐先の信号配線３０−３と分岐元の信号配線３０−１とが断線することを避けることができる。
【００２１】
なお、バックドリル加工の深さは、多層回路基板１０の内部に位置する信号配線３０−１の配線層付近までとする。これにより、スルーホールにおいて余剰スタブとして作用する部位は、余剰スタブ４０−２まで最小限に低減できる。このように、伝送路が選択できることに加えて、選択されなかった伝送路の影響を低減する効果を奏する。
【００２２】
以上まとめると、図１に係る本発明の第１の実施形態に係る伝送路構造は、２つの信号配線のうちのいずれかを選択した構成となっている。この伝送路選択の対象となる伝送路構造（以後、基本構造と呼ぶ）は、スルーホールを分岐点とした伝送路の２経路分岐（１×２分岐）が基本になっている。伝送路の選択は、伝送路の選択の分岐点であるスルーホールに対して、バックドリル加工などの切削加工を施すことによって可能となる。そして、伝送路の選択は、多層基板の最上面および最下面の信号配線の場合だけに限らず、多層基板の内部層においても可能である。それに加えて、分岐点における余剰スタブが最小限となり、伝送路特性の劣化を低減することができる。なお、回路基板の伝送路を評価した後にその回路基板を変更する必要がなく、その回路基板にバックドリル加工を施しそのまま１つの伝送路を選択することができる。
【００２３】
また、本実施形態に係る伝送路選択方法は、複数の信号配線を誘電体層を挟んで互いに積層方向に離間して配置する。そして、積層方向に配置した導体管に複数の信号配線のうちの第１の信号配線と第２の信号配線および第３の信号配線を接続する。そして、導体管の第１の信号配線と第３の信号配線との接続箇所に挟まれた部位を除去することにより第２の信号配線の選択を行う。
【００２４】
また、本実施形態に係る伝送路製造方法は、複数の信号配線を誘電体層を挟んで互いに積層方向に離間して配置する。そして、複数の信号配線のうちの第１の信号配線と第２の信号配線および第３の信号配線間を、積層方向に一括して電気的に接続する。そして、第１の信号配線と第３の信号配線間の電気的な接続を除去し、第１の信号配線と第２の信号配線間の電気的な接続を残す。
【００２５】
ここで、関連する伝送路構造の構成に対する、本実施形態の効果を検証する。図１１は、関連する伝送路構造の構成を示す図であり、伝送路を選択した状態における（ａ）は上面図、（ｂ）は断面図である。この例では、伝送路上に、二つの分岐先である分岐先１１０−１、１１０−２を備える分岐点１００を設けている。そして、二つに分岐する伝送路のそれぞれを途中で分断し、各伝送路の分断した部分の端部に一対の電極からなる、パッド１２０−１、パッド１２０−２をそれぞれ設けている。
【００２６】
例えば、分岐先１１０−１側のパッド１２０−１に、部品１３０を実装する。伝送路の分断箇所に部品１３０を実装することによって、分岐先１１０−１側の伝送路における分断箇所の導通を図り、その結果、分岐先１１０−１側の伝送路が選択される。他方、選択されなかった分岐先１１０−２については、分岐点から分岐先の分断部分までの伝送路が残存する。この伝送路の残存部分が、余剰スタブ４０−５となる。
【００２７】
そうすると、関連する回路基板の伝送路構造では、伝送路の選択が可能であるのは、多層基板の最上面または最下面に配置された信号配線だけとなる。すなわち、多層基板の内部層においては伝送路の選択ができない。また、関連する回路基板の伝送路構造では、選択されなかった伝送路が高速伝送信号に対して悪影響を及ぼす。即ち、選択されなかった伝送路の分岐点から分岐先の分断部分が残存し、これが余剰スタブとして作用する。その結果、回路基板を伝送する高速伝送信号に対して、この余剰スタブが悪影響を及ぼす。特に、伝送路の選択肢が多肢になるほど、伝送路における高速伝送特性の劣化が顕著となる。
【００２８】
一方、本実施形態に係る伝送路構造では、上述したように、多層基板の最上面および最下面の信号配線の場合だけに限らず、多層基板の内部層においても可能である。それに加えて、分岐点における余剰スタブが最小限となり、伝送路特性の劣化を低減することができる。このように、本実施形態に係る伝送路構造は、伝送路選択の自由度が増大し、かつ、伝送路特性の劣化を低減することができる。
【００２９】
（第２の実施形態）
図４は、本発明の第２の実施形態に係る伝送路構造によって選択される多分岐の信号配線の構成を示す図であり、（ａ）は上面図、（ｂ）は断面図、（ｃ）は下面図である。上述の１×２の基本構造を３つ組み合わせて、４分岐（１×４）構造を構成するものである。具体的には、１×４構造は、１×２基本構造１−１、１−２、１−３の３つのうち、基本構造１−１を使ってまず２分岐し、その後段で１×２基本構造１−２と１×２基本構造１−３を使って４分岐する。ここで、基本構造１−２と１−３は多層回路基板の積層方向に重ねて配設し、これら基本構造の間でスルーホールを共通化している。
【００３０】
なお、１×２基本構造１−１、１−２、１−３の全てについて、分岐元の信号配線と分岐先の信号配線とは、同層内で直接接しておらず、異なる層間でスルーホールを介して電気的に接続されている、という先述のスルーホールと信号配線との接続位置関係（以後、ツリー状配置と呼ぶ）を満たしている。このツリー状配置によって、選択しない分岐先の信号配線側からスルーホールにバックドリル加工をした際、選択する分岐先の信号配線と分岐元の信号配線とが断線することを避けることができる。すなわち、４分岐構造の場合であっても、スルーホールにバックドリル加工を施すことによって、伝送路を選択することができる。さらに、第１の実施形態と同様に、分岐点における余剰スタブを低減することができる。
【００３１】
以上述べたように、本実施形態に係る伝送路構造は、多層回路基板の内部層における伝送路を選択した構成とすることができ、伝送路特性の劣化を低減することができる効果を奏する。
【００３２】
（第３の実施形態）
図５は、本発明の第３の実施形態に係る伝送路構造の対象となる多分岐の信号配線の構成を示す図であり、（ａ）は上面図、（ｂ）は断面図、（ｃ）は下面図である。上述の１×２の基本構造を３つ組み合わせて、４分岐構造（１×４）を構成するものである。具体的には、１×４構造は、１×２基本構造１−１、１−４、１−５の３つのうち、基本構造１−１を使ってまず２分岐し、その後段で１×２基本構造１−４と１−５を使って４分岐する。ここで、１×２基本構造１−４と１×２基本構造１−５は多層回路基板の面内方向に並べて配設し、これら基本構造の間でスルーホールを別箇としている。
【００３３】
なお、１×２基本構造１−１、１−４、１−５の全てについて、スルーホールと信号配線との接続位置関係は、第２の実施形態の場合と同様に、ツリー状配置を満たしている。このツリー状配置によって、選択しない分岐先の信号配線側からスルーホールにバックドリル加工をした際、選択する分岐先の信号配線と分岐元の信号配線とが断線することを避けることができる。さらに、第１の実施形態と同様に、分岐点における余剰スタブを低減することができる。
【００３４】
以上述べたように、本実施形態に係る伝送路構造は、多層回路基板の内部層における伝送路を選択した構成とすることができ、伝送路特性の劣化を低減することができる効果を奏する。なお、本実施形態では、第２の実施形態とは違って、分岐先の信号配線を同層内に複数配置し、同層内において信号配線を選択することができる。図５の例では、上面層において２つの信号配線のどちらか一方の選択が可能であり、また、下面層においても２つの信号配線のどちらか一方の選択が可能となっている。伝送路選択の自由度がさらに高まる。
【００３５】
（第４の実施形態）
図６は、本発明の第４の実施形態に係る伝送路構造の対象となる多分岐の信号配線の構成を示す図であり、（ａ）は上面図、（ｂ）は断面図、（ｃ）は下面図である。上述の１×２の基本構造３つと、中継用のスルーホール２つとを組み合わせて、１×４構造を構成するものである。本実施形態では、後述するように、スルーホールと信号配線との接続位置関係においてツリー状配置の制約は無い。１×４構造は、具体的には、１×２基本構造１−６、１−７、１−８の３つのうち、基本構造１−６を使ってまず２分岐し、その後段で１×２基本構造１−７と１−８を使って４分岐する。ここで、１×２基本構造１−７と１−８は、多層回路基板の面内方向に並べて配設し、これら基本構造の間でスルーホールを別箇としている。そして、１×２基本構造１−６と１×２基本構造１−７は中継用のスルーホール２０−２を介して接続し、１×２基本構造１−６と１×２基本構造１−８は中継用のスルーホール２０−４を介して接続している。
【００３６】
ここで、１×２基本構造１−６、１−７、１−８の全てについて、スルーホールと信号配線との接続位置関係は、ツリー状配置を必ずしも満たす必要はない。その理由は、中継用のスルーホールを介してこれら基本構造間の接続を行うので、選択しない分岐先の信号配線側からスルーホールにバックドリル加工をした際、選択する分岐先の信号配線と分岐元の信号配線とが断線することを避けることができるからである。次に、４つの信号配線の選択について説明する。
【００３７】
図７は、本発明の第４の実施形態に係る伝送路構造の構成を示す図であり、（ａ）は上面図、（ｂ）は断面図、（ｃ）は下面図である。例えば、信号配線３０−２と信号配線３０−５とを選択する場合には、多層回路基板１０の下面方向からスルーホール２０−１に対してバックドリル加工を施し、また、スルーホール２０−３に対して多層回路基板１０の下面方向からバックドリル加工を施す。バックドリル加工の深さは、それぞれ多層回路基板１０の内部に位置する信号配線３０−１の配線層付近および信号配線３０−４の配線層付近までとする。
【００３８】
図７はこのようなバックドリル加工５０−１、５０−３を施した後の構成であり、信号配線３０−１から信号配線３０−５に至る伝送路が形成されている。そして、スルーホールにおいて余剰スタブとして作用する部位は、余剰スタブ４０−１、４０−３までの最小限の範囲に低減されている。以上のように、本実施形態に係る伝送路構造は、信号配線３０−２と信号配線３０−５を使用する伝送路を選択した構成とすることができ、選択されなかった伝送路の影響を低減する効果を奏する。続いて、他の信号配線を選択する場合について説明する。
【００３９】
図８は、本発明の第４の実施形態に係る伝送路構造の別の構成を示す図であり、（ａ）は上面図、（ｂ）は断面図、（ｃ）は下面図である。例えば、信号配線３０−２と信号配線３０−６とを選択する場合には、スルーホール２０−１に対して多層回路基板１０の下面方向からバックドリル加工を施し、また、スルーホール２０−３に対して多層回路基板１０の上面方向からバックドリル加工を施す。バックドリル加工の深さは、それぞれ多層回路基板１０の内部に位置する信号配線３０−１の配線層付近および信号配線３０−４の配線層付近までとする。
【００４０】
図８はこのようなバックドリル加工５０−１、５０−４を施した後の構成であり、信号配線３０−１から信号配線３０−６に至る伝送路が形成されている。そして、スルーホールにおいて余剰スタブとして作用する部位は、余剰スタブ４０−１、４０−４までの最小限の範囲に低減されている。以上のように、図８に示した伝送路構造は、信号配線３０−２と信号配線３０−６を使用する伝送路を選択した構成とすることができ、選択されなかった伝送路の影響を低減する効果を奏する。続いて、他の信号配線を選択する場合について説明する。
【００４１】
図９は、本発明の第４の実施形態に係る伝送路構造の別の構成を示す図であり、（ａ）は上面図、（ｂ）は断面図、（ｃ）は下面図である。例えば、信号配線３０−３と信号配線３０−８とを選択する場合には、スルーホール２０−１に対して多層回路基板１０の上面方向からバックドリル加工を施し、また、スルーホール２０−５に対して多層回路基板１０の下面方向からバックドリル加工を施す。バックドリル加工の深さは、それぞれ多層回路基板１０の内部に位置する信号配線３０−１の配線層付近および信号配線３０−７の配線層付近までとする。
【００４２】
図９はこのようなバックドリル加工５０−３、５０−２を施した後の構成であり、信号配線３０−１から信号配線３０−８に至る伝送路が形成されている。そして、スルーホールにおいて余剰スタブとして作用する部位は、余剰スタブ４０−２、４０−３までの最小限の範囲に低減されている。以上のように、図９に示した伝送路構造は、信号配線３０−３と信号配線３０−８を使用する伝送路を選択した構成とすることができ、選択されなかった伝送路の影響を低減する効果を奏する。続いて、他の信号配線を選択する場合について説明する。
【００４３】
図１０は、本発明の第４の実施形態に係る伝送路構造の別の構成を示す図であり、（ａ）は上面図、（ｂ）は断面図、（ｃ）は下面図である。例えば、信号配線３０−３と信号配線３０−９とを選択する場合には、スルーホール２０−１に対して多層回路基板１０の上面方向からバックドリル加工を施し、また、スルーホール２０−５に対して多層回路基板１０の上面方向からバックドリル加工を施す。バックドリル加工の深さは、それぞれ多層回路基板１０の内部に位置する信号配線３０−１の配線層付近および信号配線３０−７の配線層付近までとする。
【００４４】
図１０はこのようなバックドリル加工５０−４、５０−２を施した後の構成であり、信号配線３０−１から信号配線３０−９に至る伝送路が形成されている。そして、スルーホールにおいて余剰スタブとして作用する部位は、余剰スタブ４０−２、４０−４までの最小限の範囲に低減されている。以上のように、図１０に示した伝送路構造は、信号配線３０−３と信号配線３０−９を使用する伝送路を選択した構成とすることができ、選択されなかった伝送路の影響を低減する効果を奏する。
【００４５】
以上のように、本実施形態に係る伝送路構造を備えた回路基板は、１×４構造を構成するものであり、スルーホールにバックドリル加工を施すことによって伝送路が選択でき、さらに分岐点における余剰スタブを低減することができる。そして、回路基板の伝送路を評価した後にその回路基板を変更する必要がなく、その回路基板にバックドリル加工を施しそのまま１つの伝送路を選択することができる。また、分岐先の信号配線を同層内に複数配置し、同層内においてどちらか一方の信号配線を選択することができる。また、スルーホールと信号配線との接続位置関係においてツリー状配置等の制約は無く、伝送路構造の配置の自由度がさらに高まる。
【００４６】
（第５の実施形態）
本発明の最小構成に係る伝送路構造の構成について、図２を用いて説明する。
【００４７】
誘電体層を挟んで互いに積層方向に離間して配置した複数の信号配線である、信号配線３０−１、３０−２および３０−３と、積層方向に配置した導体で筒状の形状をした導体管である、スルーホール２０を有している。複数の信号配線のうちの第１の信号配線である３０−１と、導体管であるスルーホール２０を介して接続可能な、第２の信号配線である３０−２および第３の信号配線である３０−３を含んでいる。
【００４８】
例えば、第１の信号配線の接続先として、第２の信号配線を選択する場合には、誘電体層の下面方向から、ドリルによる切削加工を導体管に対して施す。そして、切削加工した跡には、空気あるいは樹脂などの絶縁物が充填されている。すると、第１の信号配線は導体管の一端と接続し、選択された第２の信号配線は導体管の他端と接続し、第３の信号配線は絶縁部を挟んで導体管と離間した配置となっている。
【００４９】
その結果、第３の信号配線と導体管とが断線状態にあり、第２の信号配線と導体管とは接続状態のままにある。すなわち、第１の信号配線から第２の信号配線に至る配線経路が選択された状態となっている。
【００５０】
このように、導体管に対して誘電体層の下面方向から例えばバックドリル加工を施し、第１の信号配線と第２の信号配線を使用する伝送路を選択できる。なお、バックドリル加工の深さは、誘電体層の内部に位置する第１の信号配線の配線層付近までとする。これにより、導体管において余剰スタブとして作用する部位を最小限に低減できる。このように、伝送路が選択できることに加えて、選択されなかった伝送路の影響を低減する効果を奏する。
【００５１】
以上のように、本実施形態係る最小構成の伝送路構造であっても、作用・効果を生じて課題を解決することができる。
【００５２】
以上、本発明の実施の形態について説明したが、本発明の実施方法は上記した形態に限定されるものではなく、その要旨を逸脱しない範囲で各種の変形が可能である。例えば、本発明の実施形態に係る伝送路構造を備える回路基板にも適用可能である。また、特許請求の範囲に記載した発明の範囲内で、種々の変形が可能であり、それらも本発明の範囲内に含まれることはいうまでもない。
【符号の説明】
【００５３】
１−１、１−２、１−３、１−４、１−５、１−６、１−７、１−８    １×２基本構造
１０    多層回路基板
２０、２０−１、２０−２、２０−３、２０−４、２０−５    スルーホール
３０、３０−１、３０−２、３０−３、３０−４、３０−５、３０−６、３０−７、３０−８、３０−９    信号配線
４０、４０−１、４０−２、４０−３、４０−４、４０−５    余剰スタブ
５０、５０−１、５０−２、５０−３、５０−４    バックドリル加工
６０、６０−１、６０−２、６０−３、６０−４    導体層
７０    誘電体
１００    分岐点
１１０、１１０−１、１１０−２    分岐先
１２０、１２０−１、１２０−２    パッド
１３０    部品
【図１】
0006296125.tif 000002
【図２】
0006296125.tif 000003
【図３】
0006296125.tif 000004
【図４】
0006296125.tif 000005
【図５】
0006296125.tif 000006
【図６】
0006296125.tif 000007
【図７】
0006296125.tif 000008
【図８】
0006296125.tif 000009
【図９】
0006296125.tif 000010
【図１０】
0006296125.tif 000011
【図１１】
0006296125.tif 000012